(57)【要約】【課題】観察方向に制限されることなく潜像による真偽判別を容易に行う。【解決手段】平面部３を具備するシート基材２に、平面部３の法線方向に突出して形成された複数の凸部１１と、複数の凸部１１毎に、凸部１１を取り囲むように平面部３に設けられた複数の外周マーク１２と、複数の凸部１１のうち予め決められた凸部１１の側面１１ａの全周に渡って設けられた内マーク１３とを設ける。【選択図】図１
2008012724.tif 000002
【特許請求の範囲】
【請求項１】
平面部を具備する基材に、該平面部の法線方向に突出して形成された複数の凸部と、
前記複数の凸部毎に、当該凸部を取り囲むように前記平面部に設けられた複数の第１のマーク部と、
前記複数の凸部のうち予め決められた凸部の側面の全周に渡って設けられた第２のマーク部とを有する偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように、断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、潜像による真偽判別ができなくなる虞れがある。
【０００７】
本発明は、上述したような従来の技術が有する問題点に鑑みてなされたものであって、観察方向に制限されることなく潜像による真偽判別を容易に行うことができる偽造防止媒体を提供することを目的とする。
【課題を解決するための手段】
【０００８】
上記目的を達成するために本発明は、
平面部を具備する基材に、該平面部の法線方向に突出して形成された複数の凸部と、
前記複数の凸部毎に、当該凸部を取り囲むように前記平面部に設けられた複数の第１のマーク部と、
前記複数の凸部のうち予め決められた凸部の側面の全周に渡って設けられた第２のマーク部とを有する。
【０００９】
上記のように構成された本発明においては、基材の平面部の法線方向から観察した場合、第１のマーク部が設けられた平面部は観察方向と対向するため、観察方向からの光がこの平面部に設けられた第１のマーク部上にて観察方向に反射し、第１のマーク部が明確に見える。一方、第２のマーク部が設けられた凸部の側面は観察方向に対向していないため、観察方向からの光がこの凸部の側面に設けられた第２のマーク部上にて観察方向以外の方向にも反射して分散してしまい、第２のマーク部が薄くしか見えない。そのため、基材の平面部の法線方向から観察した場合は、複数の凸部のうち第２のマーク部が設けられていない凸部においてはその周囲に設けられた第１のマーク部のみが視認され、複数の凸部のうち側面に第２のマーク部が設けられた凸部においても、第２のマーク部が薄くしか見えないのに対して第１のマーク部が明確に見えることによる錯覚によってほとんど第１のマーク部しか視認されない状態となる。また、この状態から基材に対する観察方向を基材の平面部の法線方向から変化させていくと、観察方向が、第２のマーク部が設けられた凸部の側面に対向するようになっていく。すると、観察方向からの光がこの凸部の側面に設けられた第２のマーク部上にて観察方向に反射し、第２のマーク部が明確に見えるようになる。一方、第１のマーク部が設けられた平面部は観察方向に対向しなくなるため、観察方向からの光がこの平面部に設けられた第１のマーク部上にて観察方向以外の方向にも反射して分散してしまい、第１のマーク部が薄くしか見えなくなっていく。そのため、複数の第２のマーク部を潜像となる所定の情報が表現されるように複数の凸部のうち予め決められた凸部に設けておけば、基材に対する観察方向を基材の平面部の法線方向から変化させていった場合、第２のマーク部による潜像が浮かび上がって見えるようになる。ここで、本発明においては、第２のマーク部が、凸部の側面の全周に渡って設けられているので、基材に対する観察方向を基材の平面部の法線方向からどの方向に変化させていった場合であっても、第２のマーク部による潜像が浮かび上がって見えるようになる。
【００１０】
また、複数の凸部が近接している場合は、基材に対する観察方向を基材の平面部の法線方向から変化させていくと、平面部に設けられた第１のマーク部が、その第１のマーク部によって取り囲まれた凸部の観察方向側に隣接する凸部によって隠れて見えなくなり、第２のマーク部による潜像のみが視認しやすくなる。
【発明の効果】
【００１１】
以上説明したように本発明においては、観察方向を基材の平面部の法線方向から傾けていった場合に浮かび上がる潜像を構成する第２のマーク部が、基材に形成された凸部の側面の全周に渡って設けられているため、観察方向に制限されることなく潜像が浮かび上がり、潜像による真偽判別を容易に行うことができる。
【発明を実施するための最良の形態】
【００１２】
以下に、本発明の実施の形態について図面を参照して説明する。
【００１３】
（第１の実施の形態）
図１は、本発明の偽造防止媒体の第１の実施の形態となる偽造防止シートを示す図であり、（ａ）は全体の構成を示す図、（ｂ）は（ａ）に示した偽造防止構造１０の詳細な構成を示す図、（ｃ）は（ｂ）に示したＡ−Ａ’断面図、（ｄ）は内マーク１３が設けられた凸部１１の構成を示す図、（ｅ）は内マーク１３が設けられていない凸部１１の構成を示す図である。
【００１４】
本形態の偽造防止シート１は図１に示すように、紙からなるシート基材２の一部の領域に偽造防止構造１０が設けられて構成されている。シート基材２は、平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられるが、その場合、偽造防止構造１０による潜像が見にくくならないようにする必要がある。
【００１５】
シート基材２に設けられた偽造防止構造１０は図１（ｂ）に示すように、シート基材２にマトリックス状に形成された複数の凸部１１と、この複数の凸部１１の周囲にそれぞれ設けられた第１のマーク部である複数の外周マーク１２と、複数の凸部１１のうち予め決められた凸部１１のみに設けられた第２のマーク部である内マーク１３とから構成されている。凸部１１は図１（ｃ）に示すように、円錐から頂点の部分が取り除かれた形状であって、シート基材２の平面部３の法線方向に０．１ｍｍ程度突出し、平面部３との境界部分が直径０．５ｍｍ以下の円形状となっている。この境界部分から離れていくに従ってその断面積が徐々に狭くなり、図１（ｄ），（ｅ）に示すように、境界部分の反対側は平面部３と平行な頂部１１ｂとなっている。そのため、凸部１１の側面１１ａは、平面部３の法線に対して斜めの方向を向いている。外周マーク１２は、凸部１１をそれぞれ取り囲むようにシート基材２の平面部３に印刷によって設けられており、凸部１１の平面部３との境界部分が円形状であることから、円形状となっている。内マーク１３は、複数の凸部１１のうち予め決められた凸部１１の側面１１ａの全周に渡って印刷によって設けられており、凸部１１の平面部３との境界部分が円形状であり、また、この境界部分から離れていくに従って凸部１１の断面積が徐々に狭くなることから、シート基材２の平面部３の法線方向から見た場合に円形状となっている。なお、本形態にて図示する偽造防止構造１０は、説明を簡単にするために縦横がそれぞれ１０個ずつの凸部１１及び外周マーク１２を用いたものであるが、その数を多くすればするほど、この偽造防止構造１０によって浮き上がらせることができる潜像となる文字を精細なものとすることができ、曲線等を表現しやすくなる。
【００１６】
以下に、上記のように構成された偽造防止シート１の製造方法について説明する。
【００１７】
図２は、図１に示した偽造防止シート１の製造方法を説明するための図であり、シート基材２のうち偽造防止構造１０が設けられる領域のみを示す。
【００１８】
まず、シート基材２の偽造防止構造１０が設けられる領域に、外周マーク１２及び内マーク１３をそれぞれ円形状に印刷する（図２（ａ））。外周マーク１２は１０×１０のマトリックス状に、また、内マーク１３は、この１００個の外周マーク１２のうち「Ｔ」を形成する位置となる外周マーク１２内に外周マーク１２に沿うように印刷する。これら外周マーク１２と内マーク１３との組み合わせは、偽造防止構造１０によって浮かび上がる潜像（本形態においては「Ｔ」）に応じて予め設定されており、印刷データとして与えられる。また、これら外周マーク１２と内マーク１３の印刷は、上述したようなプレ印刷と同時に行ってもよいし、上述したプレ印刷を行った後に行ってもよい。
【００１９】
次に、外周マーク１２及び内マーク１３が印刷された領域に、エンボス版を用いて複数の凸部１１を形成する（図２（ｂ））。凸部１１は、１００個の外周マーク１２の内側に、かつ内マーク１３が設けられた部分については内マーク１３の外側が平面部３との境界部分となるようにそれぞれ形成され、それにより、外周マーク１２が凸部１１を取り囲み、また、内マーク１３が凸部１１の側面の全周に渡って設けられた形状となる。
【００２０】
上述したようにして偽造防止シート１が製造され、その後、用途に応じた情報がシート基材２の情報印刷領域４に印刷されて使用されることになる。
【００２１】
以下に、上述した偽造防止シート１の作用について説明する。
【００２２】
まず、図１に示した偽造防止シート１を正面、すなわち、シート基材２の平面部３の法線方向から観察した場合の作用について説明する。
【００２３】
図３は、図１に示した偽造防止シート１を正面から観察した場合の作用を説明するための図であり、（ａ）は偽造防止構造１０における光の反射を示す図、（ｂ）は（ａ）に示した光の反射による外周マーク１２及び内マーク１３の見え方を示す図、（ｃ）は偽造防止構造１０における外周マーク１２及び内マーク１３の見え方を示す図である。
【００２４】
図１に示した偽造防止シート１を正面から観察した場合、シート基材２のうち平面部３が観察方向と対向するため、平面部３となる領域においては観察方向からの光が観察方向にそのまま反射してこの反射光の観察方向における受光量が多くなる。偽造防止構造１０に設けられた外周マーク１２と内マーク１３のうち、外周マーク１２は、シート基材２の平面部３となる領域に設けられているため、図３（ａ）の一点鎖線で示すように観察方向からの光が外周マーク１２上で観察方向に反射し、それにより、図３（ｂ）に示すように外周マーク１２が明確に見えるようになる。
【００２５】
一方、シート基材２に形成された凸部１１の側面１１ａにおいては、偽造防止シート１を正面から観察した場合、観察方向に対向しない状態となっているため、観察方向からの光は観察方向以外の方向にも反射してこの反射光の観察方向における受光量が少なくなる。偽造防止構造１０に設けられた外周マーク１２と内マーク１３のうち、内マーク１３は、凸部１１の側面１１ａに設けられているため、図３（ａ）の破線で示すように観察方向からの光が内マーク１３上で観察方向以外にも反射して分散し、それにより、図３（ｂ）に示すように内マーク１３は薄くしか見えない状態となる。
【００２６】
そのため、偽造防止シート１を正面から観察した場合は、図３（ｃ）に示すように、複数の凸部１１のうち内マーク１３が設けられていない凸部１１においてはその周囲に設けられた外周マーク１２のみが視認され、複数の凸部１１のうち側面１１ａに内マーク１３が設けられた凸部１１においても、内マーク１３が薄くしか見えないのに対して外周マーク１２が明確に見えることによる錯覚によってほとんど外周マーク１２しか視認されない状態となる。
【００２７】
次に、図１に示した偽造防止シート１に対する観察方向を正面、すなわち、シート基材２の平面部３の法線方向から変化させていった場合の作用について説明する。
【００２８】
図４は、図１に示した偽造防止シート１に対する観察方向を正面から変化させていった場合の作用を説明するための図であり、（ａ）は偽造防止構造１０における光の反射を示す図、（ｂ）は（ａ）に示した光の反射による外周マーク１２及び内マーク１３の見え方を示す図、（ｃ）〜（ｆ）は偽造防止構造１０における外周マーク１２及び内マーク１３の見え方を示す図である。
【００２９】
図１に示した偽造防止シート１に対する観察方向を正面から変化させていくと、その観察方向が、シート基材２に形成された凸部１１の側面１１ａに対向する方向に近づいていく。すると、凸部１１の側面１１ａにおいては、観察方向からの光が観察方向にそのまま反射してこの反射光の観察方向における受光量が多くなる。偽造防止構造１０に設けられた外周マーク１２と内マーク１３のうち、内マーク１３は、シート基材２に形成された凸部１１の側面１１ａに設けられているため、図４（ａ）の一点鎖線で示すように観察方向からの光が内マーク１３上で観察方向に反射し、それにより、図４（ｂ）に示すように内マーク１３が明確に見えるようになる。
【００３０】
一方、シート基材２の平面部３は観察方向に対向しなくなるため、観察方向からの光は観察方向以外の方向にも反射してこの反射光の観察方向における受光量が少なくなる。偽造防止構造１０に設けられた外周マーク１２と内マーク１３のうち、外周マーク１２は、シート基材２の平面部３に設けられているため、図４（ａ）の破線で示すように観察方向からの光が外周マーク１２上で観察方向以外にも反射して分散し、それにより、図４（ｂ）に示すように外周マーク１２は薄くしか見えない状態となる。
【００３１】
そのため、偽造防止シート１に対する観察方向を、例えば図１中下側に変化させていくと図４（ｃ）に示すように、偽造防止構造１０に設けられた内マーク１３によって構成される潜像「Ｔ」が浮かび上がって見えるようになる。なお、この際、凸部１１を近接して形成したり、偽造防止シート１に対する観察方向をシート基材２の法線方向から大きく変化させたりした場合、平面部３に設けられた外周マーク１２が、その外周マーク１２によって取り囲まれた凸部１１の観察方向側に隣接する凸部１１によって隠れて見えなくなり、内マーク１３による潜像が視認しやすくなる。
【００３２】
ここで、図１に示した偽造防止シート１においては、観察方向によって浮かび上がる潜像を構成する内マーク１３が、シート基材２に形成された凸部１１の側面１１ａの全周に渡って設けられているため、観察方向をシート基材２の平面部３の法線方向からどの方向に変化させていった場合であっても、内マーク１３による潜像が浮かび上がって見えるようになる。例えば、偽造防止シート１に対する観察方向を図１中上側に変化させていくと、内マーク１３によって構成される潜像「Ｔ」が、図４（ｄ）に示すように浮かび上がって見えるようになり、また、偽造防止シート１に対する観察方向を図１中右側に変化させていくと、内マーク１３によって構成される潜像「Ｔ」が、図４（ｅ）に示すように浮かび上がって見えるようになり、また、偽造防止シート１に対する観察方向を図１中左側に変化させていくと、内マーク１３によって構成される潜像「Ｔ」が、図４（ｆ）に示すように浮かび上がって見えるようになる。
【００３３】
上述した偽造防止シート１は、複写した場合、シート基材２の情報印刷領域４に印刷された情報や、シート基材２に印刷により設けられた外周マーク１２及び内マーク１３は複写されるものの、凸部１１までは再現できない。そのため、複写物の観察方向を変えていった場合であっても、内マーク１３による潜像は浮かび上がらず、それにより、真偽判別を行うことが可能となる。このように真偽判別を行う際、本形態の偽造防止シート１においては、偽造防止シート１に対する観察方向をシート基材２の平面部３の法線方向からどの方向に変化させていった場合であっても、内マーク１３による潜像が浮かび上がって見えるため、観察方向に制限されることなく潜像による真偽判別を容易に行うことができる。
【００３４】
なお、偽造防止構造１０に設けられる外周マーク１２及び内マーク１３は、本形態のように幅が均一のものではなく、一部が幅方向に突出した形状であってもよい。また、内マーク１３においては、図示した内マーク１３の内側が全て着色された構成としてもよい。ただしその場合は、偽造防止シート１を正面から観察した場合に内マーク１３を視認困難とするために凸部１１の平面部３に対する形成角度を急峻なものとする必要がある。
【００３５】
また、凸部１１においては、頂部１１ｂがない円錐形のものやドーム型のものとすることも考えられる。なお、ドーム型のものにおいては、凸部のうち平面部３と略平行とならない領域を側面とし、その領域に内マーク１３を設けることになる。
【００３６】
（第２の実施の形態）
図５は、本発明の偽造防止媒体の第２の実施の形態となる偽造防止シートを示す図であり、（ａ）は全体の構成を示す図、（ｂ）は（ａ）に示した偽造防止構造１１０の詳細な構成を示す図、（ｃ）は（ｂ）に示したＡ−Ａ’断面図、（ｄ）は内マーク１１３が設けられた凸部１１１の構成を示す図、（ｅ）は内マーク１１３が設けられていない凸部１１１の構成を示す図である。
【００３７】
本形態の偽造防止シート１は図５に示すように、紙からなるシート基材１０２の一部の領域に偽造防止構造１１０が設けられて構成されている。シート基材１０２は、平面部１０３を有し、この平面部１０３の一部の領域に情報印刷領域１０４が設けられるとともに、他の領域に偽造防止構造１１０が設けられている。このように構成された偽造防止シート１０１は、第１の実施の形態にて示したものと同様に、例えば、コンサート等の入場チケットとして用いることが考えられる。その場合、コンサートの内容や会場名、座席番号等が情報印刷領域１０４に印刷されることになる。また、シート基材１０２の情報印刷領域１０４に情報が印刷される前に、シート基材１０２に対してプレ印刷として地紋を印刷したり所定の色に着色したりすることも考えられるが、その場合、偽造防止構造１１０による潜像が見にくくならないようにする必要がある。
【００３８】
シート基材１０２に設けられた偽造防止構造１１０は図５（ｂ）に示すように、シート基材１０２にマトリックス状に形成された複数の凸部１１１と、この複数の凸部１１１の周囲にそれぞれ設けられた第１のマーク部である複数の外周マーク１１２と、複数の凸部１１１のうち予め決められた凸部１１１のみに設けられた第２のマーク部である内マーク１１３とから構成されている。凸部１１１は図５（ｃ）に示すように、四角錐から頂点の部分が取り除かれた形状であって、シート基材１０２の平面部１０３の法線方向に０．１ｍｍ程度突出し、平面部１０３との境界部分が一辺が０．５ｍｍ以下の矩形形状となっている。この境界部分から離れていくに従ってその断面積が徐々に狭くなり、図５（ｄ），（ｅ）に示すように、境界部分の反対側は平面部１０３と平行な頂部１１１ｂとなっている。そのため、凸部１１１は４つの側面１１１ａを有し、この４つの側面１１１ａはそれぞれ、平面部１０３の法線に対して斜めの方向を向いている。外周マーク１１２は、凸部１１１をそれぞれ破線によって取り囲むようにシート基材１０２の平面部１０３に印刷によって設けられており、凸部１１１の平面部１０３との境界部分が矩形形状であることから、矩形形状となっている。内マーク１１３は、外周マーク１１２と同様に破線からなり、複数の凸部１１１のうち予め決められた凸部１１１の４つの側面１１１ａの全周に渡って印刷によって設けられており、凸部１１１の平面部１０３との境界部分が矩形形状であり、また、この境界部分から離れていくに従って凸部１１１の断面積が徐々に狭くなることから、シート基材１０２の平面部１０３の法線方向から見た場合に矩形形状となっている。
【００３９】
上記のように構成された偽造防止シート１０１は、第１の実施の形態にて示したものと同様に、まず、外周マーク１１２及び内マーク１１３がシート基材１０２に印刷された後、凸部１１１が形成されることにより製造される。
【００４０】
以下に、上述した偽造防止シート１０１の作用について説明する。
【００４１】
まず、図５に示した偽造防止シート１０１を正面、すなわち、シート基材１０２の平面部１０３の法線方向から観察した場合の作用について説明する。
【００４２】
図６は、図５に示した偽造防止シート１０１を正面から観察した場合の作用を説明するための図であり、（ａ）は偽造防止構造１１０における光の反射を示す図、（ｂ）は（ａ）に示した光の反射による外周マーク１１２及び内マーク１１３の見え方を示す図、（ｃ）は偽造防止構造１１０における外周マーク１１２及び内マーク１１３の見え方を示す図である。
【００４３】
図５に示した偽造防止シート１０１を正面から観察した場合、シート基材１０２のうち平面部１０３が観察方向と対向するため、平面部１０３となる領域においては観察方向からの光が観察方向にそのまま反射してこの反射光の観察方向における受光量が多くなる。偽造防止構造１１０に設けられた外周マーク１１２と内マーク１１３のうち、外周マーク１１２は、シート基材１０２の平面部１０３となる領域に設けられているため、図６（ａ）の一点鎖線で示すように観察方向からの光が外周マーク１１２上で観察方向に反射し、それにより、図６（ｂ）に示すように外周マーク１１２が明確に見える。
【００４４】
一方、シート基材１０２に形成された凸部１１１の側面１１１ａにおいては、偽造防止シート１０１を正面から観察した場合、観察方向に対向しない状態となっているため、観察方向からの光は観察方向以外の方向にも反射してこの反射光の観察方向における受光量が少なくなる。偽造防止構造１１０に設けられた外周マーク１１２と内マーク１１３のうち、内マーク１１３は、凸部１１１の側面１１１ａに設けられているため、図６（ａ）の破線で示すように観察方向からの光が内マーク１１３上で観察方向以外にも反射して分散し、それにより、図６（ｂ）に示すように内マーク１１３は薄くしか見えない状態となる。
【００４５】
そのため、偽造防止シート１０１を正面から観察した場合は、図６（ｃ）に示すように、複数の凸部１１１のうち内マーク１１３が設けられていない凸部１１１においてはその周囲に設けられた外周マーク１１３のみが視認され、複数の凸部１１１のうち側面１１１ａに内マーク１１３が設けられた凸部１１１においても、内マーク１１３が薄くしか見えないのに対して外周マーク１１２が明確に見えることによる錯覚によってほとんど外周マーク１１２しか視認されない状態となる。
【００４６】
次に、図５に示した偽造防止シート１０１に対する観察方向を正面、すなわち、シート基材１０２の平面部１０３の法線方向から変化させていった場合の作用について説明する。
【００４７】
図７は、図５に示した偽造防止シート１０１に対する観察方向を正面から変化させていった場合の作用を説明するための図であり、（ａ）は偽造防止構造１１０における光の反射を示す図、（ｂ）は（ａ）に示した光の反射による外周マーク１１２及び内マーク１１３の見え方を示す図、（ｃ）〜（ｆ）は偽造防止構造１１０における外周マーク１１２及び内マーク１１３の見え方を示す図である。
【００４８】
図５に示した偽造防止シート１０１に対する観察方向を正面から変化させていくと、その観察方向が、シート基材１０２に形成された凸部１１１の側面１１１ａに対向する方向に近づいていく。すると、凸部１１１の側面１１１ａにおいては、観察方向からの光が観察方向にそのまま反射してこの反射光の観察方向における受光量が多くなる。偽造防止構造１１０に設けられた外周マーク１１２と内マーク１１３のうち、内マーク１１３は、シート基材１０２に形成された凸部１１１の側面１１１ａに設けられているため、図７（ａ）の一点鎖線で示すように観察方向からの光が内マーク１１３上で観察方向に反射し、それにより、図７（ｂ）に示すように内マーク１１３が明確に見えるようになる。
【００４９】
一方、シート基材１０２の平面部１０３は観察方向に対向しなくなるため、観察方向からの光は観察方向以外の方向にも反射してこの反射光の観察方向における受光量が少なくなる。偽造防止構造１１０に設けられた外周マーク１１２と内マーク１１３のうち、外周マーク１１２は、シート基材１０２の平面部１０３に設けられているため、図７（ａ）の破線で示すように観察方向からの光が外周マーク１１２上で観察方向以外にも反射して分散し、それにより、図７（ｂ）に示すように外周マーク１１２は薄くしか見えない状態となる。
【００５０】
そのため、偽造防止シート１０１に対する観察方向を、例えば図５中下側に変化させていくと図７（ｃ）に示すように、偽造防止構造１１０に設けられた内マーク１１３によって構成される潜像「Ｔ」が浮かび上がって見えるようになる。なお、この際、凸部１１１を近接して形成したり、偽造防止シート１０１に対する観察方向をシート基材１０２の法線方向から大きく変化させたりした場合、平面部１０３に設けられた外周マーク１１２が、その外周マーク１１２によって取り囲まれた凸部１１１の観察方向側に隣接する凸部１１１によって隠れて見えなくなり、内マーク１１３による潜像が視認しやすくなる。
【００５１】
ここで、図５に示した偽造防止シート１０１においては、観察方向によって浮かび上がる潜像を構成する内マーク１１３が、シート基材１０２に形成された凸部１１１の４つの側面１１１ａの全周に渡って設けられているため、観察方向をシート基材１０２の平面部１０３の法線方向からどの方向に変化させていった場合であっても、内マーク１１３による潜像が浮かび上がって見えるようになる。例えば、偽造防止シート１０１に対する観察方向を図５中上側に変化させていくと、内マーク１１３によって構成される潜像「Ｔ」が、図７（ｄ）に示すように浮かび上がって見えるようになり、また、偽造防止シート１０１に対する観察方向を図５中右側に変化させていくと、内マーク１１３によって構成される潜像「Ｔ」が、図７（ｅ）に示すように浮かび上がって見えるようになり、また、偽造防止シート１０１に対する観察方向を図５中左側に変化させていくと、内マーク１１３によって構成される潜像「Ｔ」が、図７（ｆ）に示すように浮かび上がって見えるようになる。
【００５２】
上述した偽造防止シート１０１は、複写した場合、シート基材１０２の情報印刷領域１０４に印刷された情報や、シート基材１０２に印刷により設けられた外周マーク１１２及び内マーク１１３は複写されるものの、凸部１１１までは再現できない。そのため、複写物の観察方向を変えていった場合であっても、内マーク１１３による潜像は浮かび上がらず、それにより、真偽判別を行うことが可能となる。このように真偽判別を行う際、本形態の偽造防止シート１０１においては、偽造防止シート１０１に対する観察方向をシート基材１０２の平面部１０３の法線方向からどの方向に変化させていった場合であっても、内マーク１１３による潜像が浮かび上がって見えるため、観察方向に制限されることなく潜像による真偽判別を容易に行うことができる。
【００５３】
なお、上述した２つの実施の形態にて示した凸部１１，１１１の平面部３，１０３に対する形成角度は、９０度に近いほど、偽造防止シート１，１０１を正面から見た場合に、潜像を構成する内マーク１３，１１３を見にくくすることができるが、その反面、平面部３，１０３の法線方向から観察方向を傾けていった場合に、観察方向が凸部１１，１１１の側面１１ａ，１１１ａと対向する前に、潜像を形成する内マーク１３，１１３が観察方向側に隣接する凸部１１，１１１によって隠れてしまい、上述した効果を得ることができないため、内マーク１３，１１３の線幅やシート基材２，１０２の反射率等を考慮して適宜設定することが好ましい。
【００５４】
また、凸部１１，１１１の平面部３，１０３からの突出高さや平面部３，１０３との境界部分の寸法については、上述したものに限らず、適宜設定が可能である。
【００５５】
また、本発明は、上述した２つの実施の形態を組み合わせて構成することも考えられる。すなわち、第１の実施の形態にて示したように平面部との境界部分が円形状の凸部が形成された偽造防止シートにおいて、外周マーク及び内マークを破線からなる円形状のものとしたり、第２の実施の形態にて示したように平面部との境界部分が矩形形状となる凸部が形成された偽造防止シートにおいて、外周マーク及び内マークをそれぞれ連続した矩形形状のものとしたりすることが考えられる。ただし、凸部の平面部との境界部分が円形状のように中心からの距離が略一定となるものであり、それに伴って内マークも円形状のように中心からの距離が略一定となるものとした方が、どの方向から観察しても視認可能となる内マークの形状が同一となり、内マークによって浮かび上がる潜像の精細な形状を均一化することができる。
【００５６】
また、上述した２つの実施の形態においては、偽造防止媒体として、紙からなるシート基材２，１０２に偽造防止構造１０，１１０が設けられた偽造防止シート１，１０１を例に挙げて説明したが、本発明はこのような偽造防止シート１，１０１に限らず、フィルムからなるシート基材や複数の樹脂層が積層されてなるカード基材に上述したような偽造防止構造１０，１１０を設けたものにも適用することが可能である。
【図面の簡単な説明】
【００５７】
【図１】本発明の偽造防止媒体の第１の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は内マークが設けられた凸部の構成を示す図、（ｅ）は内マークが設けられていない凸部の構成を示す図である。
【図２】図１に示した偽造防止シートの製造方法を説明するための図である。
【図３】図１に示した偽造防止シートを正面から観察した場合の作用を説明するための図であり、（ａ）は偽造防止構造における光の反射を示す図、（ｂ）は（ａ）に示した光の反射による外周マーク及び内マークの見え方を示す図、（ｃ）は偽造防止構造における外周マーク及び内マークの見え方を示す図である。
【図４】図１に示した偽造防止シートに対する観察方向を正面から変化させていった場合の作用を説明するための図であり、（ａ）は偽造防止構造における光の反射を示す図、（ｂ）は（ａ）に示した光の反射による外周マーク及び内マークの見え方を示す図、（ｃ）〜（ｆ）は偽造防止構造における外周マーク及び内マークの見え方を示す図である。
【図５】本発明の偽造防止媒体の第２の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は内マークが設けられた凸部の構成を示す図、（ｅ）は内マークが設けられていない凸部の構成を示す図である。
【図６】図５に示した偽造防止シートを正面から観察した場合の作用を説明するための図であり、（ａ）は偽造防止構造における光の反射を示す図、（ｂ）は（ａ）に示した光の反射による外周マーク及び内マークの見え方を示す図、（ｃ）は偽造防止構造における外周マーク及び内マークの見え方を示す図である。
【図７】図５に示した偽造防止シートに対する観察方向を正面から変化させていった場合の作用を説明するための図であり、（ａ）は偽造防止構造における光の反射を示す図、（ｂ）は（ａ）に示した光の反射による外周マーク及び内マークの見え方を示す図、（ｃ）〜（ｆ）は偽造防止構造における外周マーク及び内マークの見え方を示す図である。
【符号の説明】
【００５８】
１，１０１    偽造防止シート
２，１０２    シート基材
３，１０３    平面部
４，１０４    情報印刷領域
１０，１１０    偽造防止構造
１１，１１１    凸部
１１ａ，１１１ａ    側面
１１ｂ，１１１ｂ    頂部
１２，１１２    外周マーク
１３，１１３    内マーク
【図１】
2008012724.tif 000003
【図２】
2008012724.tif 000004
【図３】
2008012724.tif 000005
【図４】
2008012724.tif 000006
【図５】
2008012724.tif 000007
【図６】
2008012724.tif 000008
【図７】
2008012724.tif 000009